(57)【要約】【課題】使用性と耐久性を向上させることができるハンドルカバーを提供する。【解決手段】ハンドルカバーは、カバー本体１と、複数の突起ユニット２と、透明フィルム３と、を有する。カバー本体１は、車両のハンドルを収容するハンドル収容空間１０を囲む中空の円環状に形成されていて、更に、ハンドル収容空間１０の反対側にあるカバー本体１の外表面１１と、外表面１１にある取り付け部１２と、により構成されている。複数の突起ユニット２は、それぞれ所定のカバー本体１の取り付け部１２に配置され、外表面１１から突き出ている。透明フィルム３は、透明な樹脂材料などで形成され、各突起ユニット２の表面と、カバー本体１の外表面１１を覆っている。【選択図】図２
0003226317.tif 000002
【実用新案登録請求の範囲】
【請求項１】
ハンドル収容空間を囲む中空の円環状に形成されているカバー本体と、
前記ハンドル収容空間の反対側にある前記カバー本体の外表面にある所定の取り付け部に配置されており突起ユニットと、
前記カバー本体の外表面及び前記突起ユニットの表面を覆うように敷かれている透明フィルムと、
を有することを特徴とするハンドルカバー。
【請求項２】
前記透明フィルムは、前記突起ユニットの表面を覆う突起部分と、前記カバー本体の外表面を覆って相対的に凹陥する凹陥部分とを有し、前記突起部分と前記凹陥部分との間に段差がなくスムーズに連続していることを特徴とする請求項１に記載のハンドルカバー。
【請求項３】
前記突起ユニットは、前記透明フィルムに覆われる表面の反対側に前記カバー本体の前記取り付け部に取り付けられる接着面を有し、該接着面に塗布された接着剤により前記取り付け部に接着されていることを特徴とする請求項１または請求項２に記載のハンドルカバー。
【請求項４】
前記透明フィルムは、前記カバー本体に縫い付けられたミシン糸により前記カバー本体に固定されていることを特徴とする請求項１〜請求項３のいずれか１項に記載のハンドルカバー。
【考案の詳細な説明】
【技術分野】
【０００１】
本考案はハンドルカバーに関し、詳しくは使用性を向上したハンドルカバーに関する。
【背景技術】
【０００２】
自動車のステアリングハンドルを握る際の心地よさや操作性のために、ハンドルにハンドルカバーを装着することがよくある。また、ハンドルを握ったり、切ったりする時に手が滑ってしまうことを防止するために、ハンドルカバーの多くは滑り止め手段を有し、例えば、ハンドルカバーの表面に突出した突起物を複数配置し、これにより、滑り止め効果を得る。しかし、その多くは、単に各突起物を接着剤などでハンドルカバーの表面に固定したものであるため、運転手は直接手が各突起物に触れてしまい、各突起物との摩擦によって手が傷ついてしまう可能性や、各突起物が容易にハンドルカバーから外れて、滑り止め効果を損なってしまう場合がよくある。従って、従来のハンドルカバーの使用性には改善の余地がある。
【考案の概要】
【考案が解決しようとする課題】
【０００３】
そこで、本考案の目的は、上記従来技術の欠点を改善できるハンドルカバーを提供することにある。
【課題を解決するための手段】
【０００４】
上記目的を達成すべく、本考案は、ハンドル収容空間を囲む中空の円環状に形成されているカバー本体と、前記ハンドル収容空間の反対側にある前記カバー本体の外表面にある所定の取り付け部に配置されており突起ユニットと、前記カバー本体の外表面及び前記突起ユニットの表面を覆うように敷かれている透明フィルムと、を有するハンドルカバーを提供する。
【考案の効果】
【０００５】
上記構成により、本考案のハンドルカバーは、複数の突起ユニットを配置することにより、ハンドルを握る際の滑り止め効果が生じ、更に、透明フィルムでカバー本体の外表面及び前記突起ユニットを覆うことで、前記突起ユニットによって手が傷つくことや前記突起ユニットが取り付け部から外れてしまうことを防止することにより、使用性と耐久性が向上する。
【図面の簡単な説明】
【０００６】
【図１】本考案の第１の実施例に係るハンドルカバーを示す正面図である。
【図２】第１の実施例の構成を示す一部正面図である。
【図３】第１の実施例の構成を示す一部拡大断面図である。
【図４】図３におけるＩＶ‐ＩＶ線に沿った断面図である。
【図５】本考案の第２の実施例に係るハンドルカバーの構成を示す一部拡大断面図である。
【考案を実施するための形態】
【０００７】
以下、図面を参照しながら本考案のハンドルカバーについて詳しく説明する。
【０００８】
図１から図４に示されているように、本考案の第１の実施例に係るハンドルカバーは、自動車の円環状ステアリングハンドル（図示せず）を収容することに適用されるものである。ハンドルカバーは、カバー本体１と、複数の突起ユニット２と、透明フィルム３と、ミシン糸４とを有する。
【０００９】
カバー本体１は、ハンドルを収容するハンドル収容空間１０を囲む中空の円環状に形成され、ハンドル収容空間１０の反対側にあるカバー本体１の外表面１１と、外表面１１にある複数の取り付け部１２とを有するように構成されている。カバー本体１の構造は、単層構造でも多層構造でも良い。また、カバー本体１の材料としては、例えば、発泡プラスチック、天然皮革、人工皮革や布等が挙げられる。
【００１０】
複数の突起ユニット２は、それぞれ所定のカバー本体１の取り付け部１２に配置され、外表面１１から突き出ている。各突起ユニット２は、１つの飾り物２１と、該飾り物２１の透明フィルム３に覆われる表面の反対側にあってカバー本体１の取り付け部１２に取り付けられる接着面２２と、を有している。接着面２２には接着剤が塗布されており、これにより突起ユニット２は取り付け部１２に接着されている。
【００１１】
突起ユニット２の飾り物２１としては、例えば、天然宝石、合成宝石、クリスタル、黒曜石、プラスチックビーズや磁石等が挙げられ、その形は、例えば、円形、楕円形、ひし形、矩形、台形、三角形、長方形等が挙げられ、その色は、例えば、赤色、青色、緑色、黒色、金色、銀色、白色、無色半透明等が挙げられる。各突起ユニット２の飾り物２１の材料、形、大きさや色は、それぞれ同じでも異なっても良い。また、各突起ユニット２の飾り物２１の材料、形、大きさや色の組み合わせにより、所定の模様や文字等を形成するように構成することも可能である。
【００１２】
なお、この実施例において、突起ユニット２を取り付け部１２に取り付ける方法は、上述のように接着剤による接着を採用しているが、本考案としてはこれに限定されず、他の手段によりカバー本体１の取り付け部１２に固定することも可能である。例えば、カバー本体１の取り付け部１２に石座を形成して飾り物を嵌め込んでから、釘やミシン糸によって取り付け部１２に固定する方法も可能である。
【００１３】
透明フィルム３は、透明な樹脂材料により形成され、カバー本体１の外表面１１及び各突起ユニット２の表面を覆うように敷かれている。これにより、透明フィルム３に覆われてもカバー本体１と各突起ユニット２とは透明フィルム３越しに透かして見ることができる。
【００１４】
また、透明フィルム３は、各突起ユニット２の表面を覆う各突起部分３２と、カバー本体１の外表面１１を覆って相対的に凹陥する凹陥部分３１とを有し、各突起部分３２と凹陥部分３１との間は段差がなくスムーズに連続、即ちなだらかになっている。それぞれの突起部分３２は、１つの突起ユニット２の表面に対応して覆っても良いし、複数の突起ユニット２の表面に対応して覆っても良い。また、各突起部分３２と凹陥部分３１との間のスムーズな連続を確保するため、図示のように、カバー本体１に配置される各突起ユニット２とそれらを覆う透明フィルム３との間に隙間３３を生じても構わない。
【００１５】
透明フィルム３は、カバー本体１に縫い付けられたミシン糸４によりカバー本体１に固定されている。なお、本考案として、縫い付け以外の方法で透明フィルム３をカバー本体１に固定することも可能である。
【００１６】
ハンドルカバーを組み立てる際は、まず、各突起ユニット２をカバー本体１の各取り付け部１２に接着し、透明フィルム３をカバー本体１の外表面１１及び各突起ユニット２の表面を覆うように敷き、透明フィルム３をミシン糸４によりカバー本体１に縫い付けて固定することによって、組み立て作業が完了する。
【００１７】
図３に示されているように、突起ユニット２を所定の取り付け部１２に配置する際、突起ユニット２の表面から取り付け部１２に向けて圧力を加えるため、例えば、第１の実施例では、取り付け部１２は外表面１１に少し凹むことがあり、外表面１１における取り付け部１２と取り付け部１２でない部分との間でカーブの角度が変わる。なお、カバー本体１に用いた材料によっては、突起ユニット２を配置した後でも取り付け部１２は凹まず、上記カーブの角度が一致する。
【００１８】
図５に示されているように、本考案の第２の実施例に係るハンドルカバーの構造は、第１の実施例とほぼ等しいが、各突起ユニット２の形、大きさ、色、配置位置が異なり、カバー本体１に形成されている模様も異なる。そして、ハンドルカバーのカバー本体１の外表面１１と各突起ユニット２の表面に覆うように敷かれている透明フィルム３により、第１の実施例と同じように、各突起ユニット２によって手が傷づいてしまうことや各突起ユニット２が外れてしまうことを防止することができる。
【００１９】
以上により、本考案のハンドルカバーは、各突起ユニット２を配置することによって、手でハンドルを握る際の滑り止め効果と、各突起ユニット２の飾り物２１による視覚的効果を表現することが可能であり、且つ、透明フィルム３を覆うように敷くことで各突起ユニット２が更に固定されると共に、手が各突起ユニット２によって傷ついてしまうことや、各突起ユニット２が外れたり、汚れてしまったりすることが防止でき、使用性と耐久性の向上に繋がる。
【００２０】
以上、本考案の好ましい実施形態を説明したが、本考案はこれらに限定されるものではなく、最も広い解釈の精神および範囲内に含まれる様々な構成として、全ての修飾および均等な構成を包含するものとする。
【産業上の利用可能性】
【００２１】
上記構成により、本考案のハンドルカバーは、透明フィルム３でカバー本体１の外表面１１及び突起ユニット２を覆うことで、突起ユニット２によって手が傷つくことや突起ユニット２が取り付け部１２から外れてしまうことを防止でき、使用性と耐久性を向上させることができるため、産業上の利用可能性がある。
【符号の説明】
【００２２】
１  カバー本体
２  突起ユニット
３  透明フィルム
４  ミシン糸
１０  ハンドル収容空間
１１  外表面
１２  取り付け部
２１  飾り物
２２  接着面
３１  凹陥部分
３２  突起部分
３３  隙間
【図１】
0003226317.tif 000003
【図２】
0003226317.tif 000004
【図３】
0003226317.tif 000005
【図４】
0003226317.tif 000006
【図５】
0003226317.tif 000007
【手続補正書】
【提出日】令和2年3月17日(2020.3.17)
【手続補正１】
【補正対象書類名】実用新案登録請求の範囲
【補正対象項目名】全文
【補正方法】変更
【補正の内容】
【実用新案登録請求の範囲】
【請求項１】
ハンドル収容空間を囲む中空の円環状に形成されているカバー本体と、
前記ハンドル収容空間の反対側にある前記カバー本体の外表面にある所定の取り付け部に配置されている突起ユニットと、
前記カバー本体の外表面及び前記突起ユニットの表面を覆うように敷かれている透明フィルムと、
を有することを特徴とするハンドルカバー。
【請求項２】
前記透明フィルムは、前記突起ユニットの表面を覆う突起部分と、前記カバー本体の外表面を覆って相対的に凹陥する凹陥部分とを有し、前記突起部分と前記凹陥部分との間に段差がなくスムーズに連続していることを特徴とする請求項１に記載のハンドルカバー。
【請求項３】
前記突起ユニットは、前記透明フィルムに覆われる表面の反対側に前記カバー本体の前記取り付け部に取り付けられる接着面を有し、該接着面に塗布された接着剤により前記取り付け部に接着されていることを特徴とする請求項１または請求項２に記載のハンドルカバー。
【請求項４】
前記透明フィルムは、前記カバー本体に縫い付けられたミシン糸により前記カバー本体に固定されていることを特徴とする請求項１〜請求項３のいずれか１項に記載のハンドルカバー。